【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
サービング発展型ノードＢ、ｅＮＢ、から、少なくとも１つの非サービングｅＮＢの１つまたは複数の伝送特性を備える情報を受信することと、ここにおいて、前記伝送特性が、前記少なくとも１つの非サービングｅＮＢの１つまたは複数の干渉特性を備える、
前記１つまたは複数の干渉特性を備える前記受信した情報に基づいて、干渉消去、復調、または改善されたチャネル品質インジケータ、ＣＱＩ、を与えることのうちの少なくとも１つを実行することと
を備える、ワイヤレス通信の方法。
【請求項２】
前記１つまたは複数の干渉特性が、送信モード、無線ネットワーク一時識別子、ＲＮＴＩ、値、ＩＣリスト、キャリアタイプ、キャリアリリース、仮想セル識別情報、ＩＤ、制御スパン、オールモストブランクサブフレーム、ＡＢＳ、と非ＡＢＳとのうちの少なくとも１つのローディングレベルに関する統計値、前に使用されたトラフィック対パイロット比、ＴＰＲ、に関する統計値、前に使用されたＴＰＲ、前に使用された変調次数に関する統計値、および前に使用された変調次数のうちの少なくとも１つを備える、請求項１に記載の方法。
【請求項３】
前記情報がリレーノードの１つまたは複数の特性をさらに備え、
前記非サービングｅＮＢがドナーｅＮＢである、請求項１に記載の方法。
【請求項４】
前記リレーノードの前記１つまたは複数の特性が、前記ドナーｅＮＢのタイプと、前記ドナーｅＮＢのローディング情報と、前記リレーノードへのリソース割振りと、前記リレーノードのバックホール品質を示すパラメータとのうちの少なくとも１つを備える、請求項３に記載の方法。
【請求項５】
前記情報は、前記非サービングｅＮＢからのサブフレームがレガシーキャリアタイプ、ＬＣＴ、に基づくか、ニューキャリアタイプ、ＮＣＴ、に基づくか、前記ＬＣＴと前記ＮＣＴとに基づくかを示す、請求項１に記載の方法。
【請求項６】
前記情報がマシンタイプ通信、ＭＴＣ、に専用の狭帯域領域を示す、請求項１に記載の方法。
【請求項７】
前記情報が、前記非サービングｅＮＢから送信されたサブフレームにおけるニューキャリアタイプ（ＮＣＴ）とレガシーキャリアタイプ、ＬＣＴ、との間の時分割多重化（ＴＤＭ）区分を示す、請求項１に記載の方法。
【請求項８】
前記情報が、１６直交振幅変調（ＱＡＭ）または６４ＱＡＭのトラフィックパイロット間（ＴＰＲ）変動を示す、請求項１に記載の方法。
【請求項９】
請求項１から８に記載の方法のうちの任意のものにしたがって方法を実行するための命令を備える、コンピュータプログラム。
【請求項１０】
サービング発展型ノードＢ、ｅＮＢ、から、少なくとも１つの非サービングｅＮＢの１つまたは複数の伝送特性を備える情報を受信するための手段と、ここにおいて、前記１つまたは複数の伝送特性が、前記少なくとも１つの非サービングｅＮＢの１つまたは複数の干渉特性を備える、
前記１つまたは複数の干渉特性を備える前記受信した情報に基づいて、干渉消去、復調、または改善されたチャネル品質インジケータ、ＣＱＩ、を与えることのうちの少なくとも１つを実行するための手段と
を備える、ワイヤレス通信のための装置。
【請求項１１】
前記１つまたは複数の干渉特性が、送信モード、無線ネットワーク一時識別子、ＲＮＴＩ、値、ＩＣリスト、キャリアタイプ、キャリアリリース、仮想セル識別情報、ＩＤ、制御スパン、オールモストブランクサブフレーム、ＡＢＳ、と非ＡＢＳとのうちの少なくとも１つのローディングレベルに関する統計値、前に使用されたトラフィック対パイロット比、ＴＰＲ、に関する統計値、前に使用されたＴＰＲ、前に使用された変調次数に関する統計値、および前に使用された変調次数のうちの少なくとも１つを備える、請求項１０に記載の装置。
【請求項１２】
前記情報がリレーノードの１つまたは複数の特性をさらに備え、
前記非サービングｅＮＢがドナーｅＮＢである、請求項１０に記載の装置。
【請求項１３】
前記リレーノードの前記１つまたは複数の特性が、前記ドナーｅＮＢのタイプと、前記ドナーｅＮＢのローディング情報と、前記リレーノードへのリソース割振りと、前記リレーノードのバックホール品質を示すパラメータとのうちの少なくとも１つを備える、請求項１２に記載の装置。
【請求項１４】
前記情報は、前記非サービングｅＮＢからのサブフレームがレガシーキャリアタイプ、ＬＣＴ、に基づくか、ニューキャリアタイプ、ＮＣＴ、に基づくか、前記ＬＣＴと前記ＮＣＴとに基づくかを示す、請求項１０に記載の装置。
【請求項１５】
前記情報が、１６直交振幅変調（ＱＡＭ）または６４ＱＡＭのトラフィックパイロット間（ＴＰＲ）変動を示す、請求項１０に記載の装置。
【手続補正２】
【補正対象書類名】明細書
【補正対象項目名】００５７
【補正方法】変更
【補正の内容】
【００５７】
[0066]以上の説明は、本明細書で説明した様々な態様を当業者が実施できるように与えたものである。これらの態様に対する様々な変更は当業者には容易に明らかであり、本明細書で定義した一般的原理は他の態様に適用され得る。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的等価物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［Ｃ１］
サービング発展型ノードＢ（ｅＮＢ）から、少なくとも１つの非サービングセルの１つまたは複数の伝送特性を備える情報を受信することと、
前記受信した情報に基づいて、干渉消去、復調、または改善されたチャネル品質インジケータ（ＣＱＩ）を与えることのうちの少なくとも１つを実行することと
を備える、ワイヤレス通信の方法。
［Ｃ２］
前記１つまたは複数の伝送特性が、前記少なくとも１つの非サービングセルの１つまたは複数の干渉特性を備える、Ｃ１に記載の方法。
［Ｃ３］
前記１つまたは複数の干渉特性が、送信モード、最近使用された無線ネットワーク一時識別子（ＲＮＴＩ）値、ＩＣリスト、キャリアタイプ、キャリアリリース、仮想セル識別情報（ＩＤ）、制御スパン、オールモストブランクサブフレーム（ＡＢＳ）と非ＡＢＳとのうちの少なくとも１つのローディングレベルに関する統計値、前に使用されたトラフィック対パイロット比（ＴＰＲ）に関する統計値、前に使用されたＴＰＲ、前に使用された変調次数に関する統計値、および前に使用された変調次数のうちの少なくとも１つを備える、Ｃ２に記載の方法。
［Ｃ４］
前記情報がリレーノードの１つまたは複数の特性をさらに備え、
前記非サービングセルがドナーｅＮＢである、Ｃ１に記載の方法。
［Ｃ５］
前記リレーノードの前記１つまたは複数の特性が、前記ドナーｅＮＢのタイプと、前記ドナーｅＮＢのローディング情報と、前記リレーノードへのリソース割振りと、前記リレーノードのバックホール品質を示すパラメータとのうちの少なくとも１つを備える、Ｃ４に記載の方法。
［Ｃ６］
前記情報は、前記非サービングセルからのサブフレームがレガシーキャリアタイプ（ＬＣＴ）に基づくか、ニューキャリアタイプ（ＮＣＴ）に基づくか、前記ＬＣＴと前記ＮＣＴとに基づくかを示す、Ｃ１に記載の方法。
［Ｃ７］
前記情報がマシンタイプ通信（ＭＴＣ）に専用の狭帯域領域を示す、Ｃ１に記載の方法。
［Ｃ８］
前記情報が、前記非サービングｅＮＢから送信されたサブフレームにおけるニューキャリアタイプ（ＮＣＴ）とレガシーキャリアタイプ（ＬＣＴ）との間の時分割多重化（ＴＤＭ）区分を示す、Ｃ１に記載の方法。
［Ｃ９］
前記情報は、マルチユーザ多入力多出力（ＭＵ−ＭＩＭＯ）のために構成されたノードが現在送信しているかどうかを示す、Ｃ１に記載の方法。
［Ｃ１０］
前記情報が、多地点協調（ＣｏＭＰ）構成に関連する協働セットを示す、Ｃ１に記載の方法。
［Ｃ１１］
前記情報が、ハンドオーバプロシージャを実行するために使用されるトンネリングされた非サービングセル情報をさらに備える、Ｃ１に記載の方法。
［Ｃ１２］
前記情報が、マルチフロー構成の異なるノードと異なる無線アクセス技術（ＲＡＴ）とのローディング情報を示す、Ｃ１に記載の方法。
［Ｃ１３］
前記情報が、前記非サービングセルのマルチキャストブロードキャスト単一周波数ネットワーク（ＭＢＳＦＮ）構成と前記非サービングセルのマルチメディアブロードキャストマルチキャストサービス（ＭＢＭＳ）構成とのうちの少なくとも１つを示す、Ｃ１に記載の方法。
［Ｃ１４］
前記情報が物理ダウンリンク共有チャネル（ＰＤＳＣＨ）のためのレートマッチング情報を示す、Ｃ１に記載の方法。
［Ｃ１５］
前記情報が、１６直交振幅変調（ＱＡＭ）または６４ＱＡＭのトラフィックパイロット間（ＴＰＲ）変動を示す、Ｃ１に記載の方法。
［Ｃ１６］
前記情報が、前記非サービングセルによって実装される測位基準信号（ＰＲＳ）の構成を示す、Ｃ１に記載の方法。
［Ｃ１７］
サービング発展型ノードＢ（ｅＮＢ）から、少なくとも１つの非サービングセルの１つまたは複数の伝送特性を備える情報を受信するための手段と、
前記受信した情報に基づいて、干渉消去、復調、または改善されたチャネル品質インジケータ（ＣＱＩ）を与えることのうちの少なくとも１つを実行するための手段と
を備える、ワイヤレス通信のための装置。
［Ｃ１８］
前記１つまたは複数の伝送特性が、前記少なくとも１つの非サービングセルの１つまたは複数の干渉特性を備える、Ｃ１７に記載の装置。
［Ｃ１９］
前記１つまたは複数の干渉特性が、送信モード、最近使用された無線ネットワーク一時識別子（ＲＮＴＩ）値、ＩＣリスト、キャリアタイプ、キャリアリリース、仮想セル識別情報（ＩＤ）、制御スパン、オールモストブランクサブフレーム（ＡＢＳ）と非ＡＢＳとのうちの少なくとも１つのローディングレベルに関する統計値、前に使用されたトラフィック対パイロット比（ＴＰＲ）に関する統計値、前に使用されたＴＰＲ、前に使用された変調次数に関する統計値、および前に使用された変調次数のうちの少なくとも１つを備える、Ｃ１８に記載の装置。
［Ｃ２０］
前記情報がリレーノードの１つまたは複数の特性をさらに備え、
前記非サービングセルがドナーｅＮＢである、Ｃ１７に記載の装置。
［Ｃ２１］
前記リレーノードの前記１つまたは複数の特性が、前記ドナーｅＮＢのタイプと、前記ドナーｅＮＢのローディング情報と、前記リレーノードへのリソース割振りと、前記リレーノードのバックホール品質を示すパラメータとのうちの少なくとも１つを備える、Ｃ２０に記載の装置。
［Ｃ２２］
前記情報は、前記非サービングセルからのサブフレームがレガシーキャリアタイプ（ＬＣＴ）に基づくか、ニューキャリアタイプ（ＮＣＴ）に基づくか、前記ＬＣＴと前記ＮＣＴとに基づくかを示す、Ｃ１７に記載の装置。
［Ｃ２３］
前記情報がマシンタイプ通信（ＭＴＣ）に専用の狭帯域領域を示す、Ｃ１７に記載の装置。
［Ｃ２４］
前記情報が、前記非サービングｅＮＢから送信されたサブフレームにおけるニューキャリアタイプ（ＮＣＴ）とレガシーキャリアタイプ（ＬＣＴ）との間の時分割多重化（ＴＤＭ）区分を示す、Ｃ１７に記載の装置。
［Ｃ２５］
前記情報は、マルチユーザ多入力多出力（ＭＵ−ＭＩＭＯ）のために構成されたノードが現在送信しているかどうかを示す、Ｃ１７に記載の装置。
［Ｃ２６］
前記情報が、多地点協調（ＣｏＭＰ）構成に関連する協働セットを示す、Ｃ１７に記載の装置。
［Ｃ２７］
前記情報が、ハンドオーバプロシージャを実行するために使用されるトンネリングされた非サービングセル情報をさらに備える、Ｃ１７に記載の装置。
［Ｃ２８］
前記情報が、マルチフロー構成の異なるノードと異なる無線アクセス技術（ＲＡＴ）とのローディング情報を示す、Ｃ１７に記載の装置。
［Ｃ２９］
前記情報が、前記非サービングセルのマルチキャストブロードキャスト単一周波数ネットワーク（ＭＢＳＦＮ）構成と前記非サービングセルのマルチメディアブロードキャストマルチキャストサービス（ＭＢＭＳ）構成とのうちの少なくとも１つを示す、Ｃ１７に記載の装置。
［Ｃ３０］
前記情報が物理ダウンリンク共有チャネル（ＰＤＳＣＨ）のためのレートマッチング情報を示す、Ｃ１７に記載の装置。
［Ｃ３１］
前記情報が、１６直交振幅変調（ＱＡＭ）または６４ＱＡＭのトラフィックパイロット間（ＴＰＲ）変動を示す、Ｃ１７に記載の装置。
［Ｃ３２］
前記情報が、前記非サービングセルによって実装される測位基準信号（ＰＲＳ）の構成を示す、Ｃ１７に記載の装置。
［Ｃ３３］
サービング発展型ノードＢ（ｅＮＢ）から、少なくとも１つの非サービングセルの１つまたは複数の伝送特性を備える情報を受信することと、
前記受信した情報に基づいて、干渉消去、復調、または改善されたチャネル品質インジケータ（ＣＱＩ）を与えることのうちの少なくとも１つを実行することと
を行うように構成された処理システム
を備える、ワイヤレス通信のための装置。
［Ｃ３４］
前記１つまたは複数の伝送特性が、前記少なくとも１つの非サービングセルの１つまたは複数の干渉特性を備える、Ｃ３３に記載の装置。
［Ｃ３５］
前記１つまたは複数の干渉特性が、送信モード、最近使用された無線ネットワーク一時識別子（ＲＮＴＩ）値、ＩＣリスト、キャリアタイプ、キャリアリリース、仮想セル識別情報（ＩＤ）、制御スパン、オールモストブランクサブフレーム（ＡＢＳ）と非ＡＢＳとのうちの少なくとも１つのローディングレベルに関する統計値、前に使用されたトラフィック対パイロット比（ＴＰＲ）に関する統計値、前に使用されたＴＰＲ、前に使用された変調次数に関する統計値、および前に使用された変調次数のうちの少なくとも１つを備える、Ｃ３４に記載の装置。
［Ｃ３６］
前記情報がリレーノードの１つまたは複数の特性をさらに備え、
前記非サービングセルがドナーｅＮＢである、Ｃ３３に記載の装置。
［Ｃ３７］
前記リレーノードの前記１つまたは複数の特性が、前記ドナーｅＮＢのタイプと、前記ドナーｅＮＢのローディング情報と、前記リレーノードへのリソース割振りと、前記リレーノードのバックホール品質を示すパラメータとのうちの少なくとも１つを備える、Ｃ３６に記載の装置。
［Ｃ３８］
前記情報は、前記非サービングセルからのサブフレームがレガシーキャリアタイプ（ＬＣＴ）に基づくか、ニューキャリアタイプ（ＮＣＴ）に基づくか、前記ＬＣＴと前記ＮＣＴとに基づくかを示す、Ｃ３３に記載の装置。
［Ｃ３９］
前記情報がマシンタイプ通信（ＭＴＣ）に専用の狭帯域領域を示す、Ｃ１７に記載の装置。
［Ｃ４０］
前記情報が、前記非サービングｅＮＢから送信されたサブフレームにおけるニューキャリアタイプ（ＮＣＴ）とレガシーキャリアタイプ（ＬＣＴ）との間の時分割多重化（ＴＤＭ）区分を示す、Ｃ３３に記載の装置。
［Ｃ４１］
前記情報は、マルチユーザ多入力多出力（ＭＵ−ＭＩＭＯ）のために構成されたノードが現在送信しているかどうかを示す、Ｃ３３に記載の装置。
［Ｃ４２］
前記情報が、多地点協調（ＣｏＭＰ）構成に関連する協働セットを示す、Ｃ３３に記載の装置。
［Ｃ４３］
前記情報が、ハンドオーバプロシージャを実行するために使用されるトンネリングされた非サービングセル情報をさらに備える、Ｃ３３に記載の装置。
［Ｃ４４］
前記情報が、マルチフロー構成の異なるノードと異なる無線アクセス技術（ＲＡＴ）とのローディング情報を示す、Ｃ３３に記載の装置。
［Ｃ４５］
前記情報が、前記非サービングセルのマルチキャストブロードキャスト単一周波数ネットワーク（ＭＢＳＦＮ）構成と前記非サービングセルのマルチメディアブロードキャストマルチキャストサービス（ＭＢＭＳ）構成とのうちの少なくとも１つを示す、Ｃ３３に記載の装置。
［Ｃ４６］
前記情報が物理ダウンリンク共有チャネル（ＰＤＳＣＨ）のためのレートマッチング情報を示す、Ｃ３３に記載の装置。
［Ｃ４７］
前記情報が、１６直交振幅変調（ＱＡＭ）または６４ＱＡＭのトラフィックパイロット間（ＴＰＲ）変動を示す、Ｃ３３に記載の装置。
［Ｃ４８］
前記情報が、前記非サービングセルによって実装される測位基準信号（ＰＲＳ）の構成を示す、Ｃ３３に記載の装置。
［Ｃ４９］
サービング発展型ノードＢ（ｅＮＢ）から、少なくとも１つの非サービングセルの１つまたは複数の伝送特性を備える情報を受信することと、
前記受信した情報に基づいて、干渉消去、復調、または改善されたチャネル品質インジケータ（ＣＱＩ）を与えることのうちの少なくとも１つを実行することと
を行うためのコードを備えるコンピュータ可読媒体
を備える、コンピュータプログラム製品。
［Ｃ５０］
前記１つまたは複数の伝送特性が、前記少なくとも１つの非サービングセルの１つまたは複数の干渉特性を備える、Ｃ４９に記載のコンピュータプログラム製品。
［Ｃ５１］
前記１つまたは複数の干渉特性が、送信モード、最近使用された無線ネットワーク一時識別子（ＲＮＴＩ）値、ＩＣリスト、キャリアタイプ、キャリアリリース、仮想セル識別情報（ＩＤ）、制御スパン、オールモストブランクサブフレーム（ＡＢＳ）と非ＡＢＳとのうちの少なくとも１つのローディングレベルに関する統計値、前に使用されたトラフィック対パイロット比（ＴＰＲ）に関する統計値、前に使用されたＴＰＲ、前に使用された変調次数に関する統計値、および前に使用された変調次数のうちの少なくとも１つを備える、Ｃ５０に記載のコンピュータプログラム製品。